(57)【要約】【課題】電力を供給する負荷へより効率よく電力を供給することができる電源装置および電源制御方法を提供することを目的としている。【解決手段】電源装置は、環境発電を行う発電素子と、発電素子の発電電力により充電されるとともに負荷装置に電力を供給する蓄電池と、蓄電池の電圧値を検出する電圧検出部と、蓄電池から前記負荷装置へ電力を供給する複数の経路と、電圧検出部が検出した電圧値である検出電圧値に基づいて、検出電圧値が所定電圧値より低い場合に、複数の経路のうち電力効率が良い経路を介して負荷装置へ電力を供給するように切り替える切替部と、を備える。【選択図】図１
2018050436.tif 000002
【特許請求の範囲】
【請求項１】
環境発電を行う発電素子と、
前記発電素子の発電電力により充電されるとともに負荷装置に電力を供給する蓄電池と、
前記蓄電池の電圧値を検出する電圧検出部と、
前記蓄電池から前記負荷装置へ電力を供給する複数の経路と、
前記電圧検出部が検出した電圧値である検出電圧値に基づいて、前記検出電圧値が所定電圧値より低い場合に、前記複数の経路のうち電力効率が良い経路を介して前記負荷装置へ電力を供給するように切り替える切替部と、
を備える電源装置。
【請求項２】
前記電圧検出部が検出した電圧値である検出電圧値と第１閾値とを比較し、前記検出電圧値と前記第１閾値より小さい第２閾値とを比較する比較部、を備え、
前記切替部は、前記比較部が比較した結果、前記検出電圧値が前記第１閾値以上の場合、前記蓄電池に蓄えられている電圧をＤＣ／ＤＣコンバータを介して前記負荷装置に供給するように切り替え、前記検出電圧値が前記第１閾値未満かつ前記第２閾値以上の場合、前記蓄電池に蓄えられている電圧を前記ＤＣ／ＤＣコンバータを介さずに前記負荷装置に供給するように切り替える、請求項１に記載の電源装置。
【請求項３】
前記蓄電池に一端が接続され、他端が前記ＤＣ／ＤＣコンバータの入力側に接続される第１スイッチ部と、
前記蓄電池に一端が接続され、他端が前記負荷装置に接続される第２スイッチ部と、を備え、
前記ＤＣ／ＤＣコンバータの出力側が前記負荷装置と前記第２スイッチ部の他端に接続され、
前記切替部は、
前記検出電圧値が前記第１閾値以上の場合、前記第１スイッチ部を接続状態に制御し、前記第２スイッチ部を非接続状態に制御し、
前記検出電圧値が前記第１閾値未満かつ前記第２閾値以上の場合、前記第１スイッチ部を非接続状態に制御し、前記第２スイッチ部を接続状態に制御する、請求項２に記載の電源装置。
【請求項４】
環境発電を行う発電素子と、前記発電素子の発電電力により充電されるとともに負荷装置に電力を供給する蓄電池と、前記蓄電池から前記負荷装置へ電力を供給する複数の経路と、を有する電源装置の電源制御方法であって、
電圧検出部が、前記蓄電池の電圧値を検出する電圧検出手順と、
切替部が、前記電圧検出手順によって検出された電圧値である検出電圧値に基づいて、前記検出電圧値が所定電圧値より低い場合に、前記複数の経路のうち電力効率が良い経路を介して前記負荷装置へ電力を供給するように切り替える切替手順と、
を含む電源制御方法。
【発明の詳細な説明】
【技術分野】
【０００１】
本発明は、電源装置および電源制御方法に関する。
【背景技術】
【０００２】
近年、電子回路や無線技術の低消費電力化により、周囲の環境から電気エネルギーを得ることで、配線や電池交換なしで動作する、ワイヤレスセンサやリモコンスイッチといったエネルギーハーベスティングデバイス（環境発電素子）が注目されている。このため、例えば、蛍光灯やＬＥＤ照明といった屋内光での使用を想定したエネルギーハーベスティング用の低照度色素増感太陽電池の開発が進められている。このようなシステムでは、例えば太陽電池を用いて室内の電灯の光エネルギーを電気エネルギーに変換しているため、発電される電力は、μＷ（マイクロワット）からｍＡ（ミリアンペア）オーダーの微弱である場合が多い。このため、発電した電力を供給する対象へ効率よく電力供給を行うことが求められている。そこで、一般には、自己消費電量が少ないＩＣ（集積回路）等を選択することで、ロスの少ない電源回路の設計が行われている。
【０００３】
例えば、特許文献１には、タスクを処理する複数の機能回路と、複数の機能回路に電力を供給する一次電源と、複数の機能回路に対して電力を供給して補助電源内に十分な量のエネルギーが利用可能になったときに処理されると特定される１以上のタスクを処理する前記補助電源とを備える電源回路システムが記載されている。この構成によって、特許文献１に記載の技術では、タスクを処理する複数の機能回路を有する電子デバイスに対し、効率的な電力供給を行うことを提案している。
【先行技術文献】
【特許文献】
【０００４】
【特許文献１】特開２０１０−２５９３２０号公報
【発明の概要】
【発明が解決しようとする課題】
【０００５】
従来技術では、太陽光等によって発電するため発電される電圧が変動するので、機器へ供給する電圧を一定にするためにＤＣ−ＤＣコンバータ（直流電圧−直流電圧変換装置）を使用する場合が多い。しかしながら、ＤＣ−ＤＣコンバータを用いた場合は、変換効率が約９０％であるため、約１０％のロスが生じている。
【０００６】
本発明は、上記の問題点に鑑みてなされたものであって、電力を供給する負荷へより効率よく電力を供給することができる電源装置および電源制御方法を提供することを目的としている。
【課題を解決するための手段】
【０００７】
上記目的を達成するため、本発明の一態様に係る電源装置は、環境発電を行う発電素子と、前記発電素子の発電電力により充電されるとともに負荷装置に電力を供給する蓄電池と、前記蓄電池の電圧値を検出する電圧検出部と、前記蓄電池から前記負荷装置へ電力を供給する複数の経路と、前記電圧検出部が検出した電圧値である検出電圧値に基づいて、前記検出電圧値が所定電圧値より低い場合に、前記複数の経路のうち電力効率が良い経路を介して前記負荷装置へ電力を供給するように切り替える切替部と、を備える。
【０００８】
また、本発明の一態様に係る電源装置は、前記電圧検出部が検出した電圧値である検出電圧値と第１閾値とを比較し、前記検出電圧値と前記第１閾値より小さい第２閾値とを比較する比較部、を備え、前記切替部は、前記比較部が比較した結果、前記検出電圧値が前記第１閾値以上の場合、前記蓄電池に蓄えられている電圧をＤＣ／ＤＣコンバータを介して前記負荷装置に供給するように切り替え、前記検出電圧値が前記第１閾値未満かつ前記第２閾値以上の場合、前記蓄電池に蓄えられている電圧を前記ＤＣ／ＤＣコンバータを介さずに前記負荷装置に供給するように切り替えるようにしてもよい。
【０００９】
また、本発明の一態様に係る電源装置は、前記蓄電池に一端が接続され、他端が前記ＤＣ／ＤＣコンバータの入力側に接続される第１スイッチ部と、前記蓄電池に一端が接続され、他端が前記負荷装置に接続される第２スイッチ部と、を備え、前記ＤＣ／ＤＣコンバータの出力側が前記負荷装置と前記第２スイッチ部の他端に接続され、前記切替部は、前記検出電圧値が前記第１閾値以上の場合、前記第１スイッチ部を接続状態に制御し、前記第２スイッチ部を非接続状態に制御し、前記検出電圧値が前記第１閾値未満かつ前記第２閾値以上の場合、前記第１スイッチ部を非接続状態に制御し、前記第２スイッチ部を接続状態に制御するようにしてもよい。
【００１０】
上記目的を達成するため、本発明の一態様に係る電源制御方法は、環境発電を行う発電素子と、前記発電素子の発電電力により充電されるとともに負荷装置に電力を供給する蓄電池と、前記蓄電池から前記負荷装置へ電力を供給する複数の経路と、を有する電源装置の電源制御方法であって、電圧検出部が、前記蓄電池の電圧値を検出する電圧検出手順と、切替部が、前記電圧検出手順によって検出された電圧値である検出電圧値に基づいて、前記検出電圧値が所定電圧値より低い場合に、前記複数の経路のうち電力効率が良い経路を介して前記負荷装置へ電力を供給するように切り替える切替手順と、を含む。
【発明の効果】
【００１１】
本発明によれば、電力を供給する負荷へより効率よく電力を供給することができる。
【図面の簡単な説明】
【００１２】
【図１】本実施形態に係る電源装置の構成例を示すブロック図である。
【図２】本実施形態に係る蓄電池１４０の検出電圧値が３．１Ｖ以上３，８Ｖ以下の接続状態を示す図である。
【図３】本実施形態に係る動作の一例を示すタイミングチャートである。
【図４】本実施形態に係る電源装置１０における処理手順を示すフローチャートである。
【発明を実施するための形態】
【００１３】
以下、本発明の実施の形態について図面を参照しながら説明する。
図１は、本実施形態に係る電源装置１０の構成例を示すブロック図である。図１に示すように、電源装置１０は、環境発電素子を用いた太陽電池１１０（発電素子）、ＤＣ／ＤＣコンバータ１２０（直流電圧−直流電圧変換装置）、電圧検出部１３０、蓄電池１４０、切替部１５０、第１スイッチ部１６０、ＤＣ／ＤＣコンバータ１７０、および第２スイッチ部１８０を備えている。また、切替部１５０は、比較部１５１を備える。
【００１４】
太陽電池１１０の出力側は、ＤＣ／ＤＣコンバータ１２０の入力側が接続されている。
ＤＣ／ＤＣコンバータ１２０の出力側は、第１スイッチ部１６０の端子ａと、第２スイッチ部１８０の端子ｃと、電圧検出部１３０の一方端と、に接続されている。
【００１５】
電圧検出部１３０は、他方端が蓄電池１４０の正極（＋）端子に接続され、検出出力端子が切替部１５０の入力側に接続されている。
蓄電池１４０の負極（−）端子は、グランドＧＮＤに接続されている。
【００１６】
切替部１５０は、第１制御端子が第１スイッチ部１６０の制御端子に接続され、第２制御端子が第２スイッチ部１８０の制御端子に接続されている。
第１スイッチ部１６０は、端子ｂがＤＣ／ＤＣコンバータ１７０の入力側に接続されている。
ＤＣ／ＤＣコンバータ１７０は、出力側が負荷装置２０と、第２スイッチ部１８０の端子ｄとに接続されている。
【００１７】
電源装置１０は、負荷装置２０に電力を供給して、この負荷装置２０を動作させる。
負荷装置２０は、例えば、配線や電池交換なしで動作するワイヤレスセンサとして機能する環境モニタ装置である。この環境モニタ装置は、オフィス等の室内の温度を測定する温度センサや、室内の湿度を測定する湿度センサを備えている。負荷装置２０に供給される電圧値は、例えば３．０Ｖである。負荷装置２０の消費電流は、例えば１００ｍＡ以下である。
【００１８】
太陽電池１１０は、低照度用の太陽電池であり、例えば、１００００（Ｌｕｘ；ルクス）以下の照度で使用される太陽電池である。太陽電池１１０は、受光面側に配列された複数の太陽電池セルを直列に接続し、所定の出力電圧Ｖｓが得られるように構成されている。
【００１９】
ＤＣ／ＤＣコンバータ１２０は、太陽電池１１０が出力する電圧Ｖｓを、蓄電池１４０への給電電圧に応じた電圧に変換する。ＤＣ／ＤＣコンバータ１２０は、例えば、太陽電池１１０の出力電圧Ｖｓが蓄電池１４０の必要とする電圧よりも低い場合、昇圧コンバータ装置等で構成される。また、ＤＣ／ＤＣコンバータ１２０は、蓄電池１４０の充電電圧が所定の上限電圧を超えないように出力電圧を制御している。
【００２０】
電圧検出部１３０は、蓄電池１４０の電圧値を検出し、検出した電圧値を検出電圧信号Ｖｆとして切替部１５０に出力する。電圧検出部１３０は、例えば、抵抗分圧回路を用いて構成されている。
【００２１】
蓄電池１４０は、太陽電池１１０の発電電力により充電されるとともに負荷装置２０に電力を供給する。蓄電池１４０は、大容量のキャパシタであり、例えば４０Ｆ（ファラド）のリチウムイオンキャパシタ（ＬＩＣ）である。なお、蓄電池１４０は、長時間に渡り電荷を保存する必要があるため、リーク電流が少ないリチウムイオンキャパシタが用いられる。なお、蓄電池１４０の容量は、４０Ｆに限定されず、太陽電池１１０の発電量と、負荷装置２０の消費電力の平均値と、負荷装置２０を連続駆動したい時間と、に基づいて、適宜な容量のキャパシタを選定することができる。なお、蓄電池１４０には、出荷時に、例えば３．０Ｖから３．８Ｖ程度の電圧に充電されている。
【００２２】
切替部１５０は、電圧検出部１３０が出力する検出電圧信号Ｖｆに応じて、第１スイッチ部１６０と第２スイッチ部１８０を制御する。切替部１５０は、比較部１５１が検出電圧信号Ｖｆと第１閾値電圧Ｒｅｆ１を比較した結果、検出電圧信号Ｖｆが第１閾値電圧Ｒｅｆ１以上かつ３．８Ｖ以下の場合、第１スイッチ部１６０をオン状態になるように切り替える制御信号ＣＮＴ１と、第２スイッチ部１８０をオフ状態になるように切り替える制御信号ＣＮＴ２それぞれを生成する。また、切替部１５０は、比較部１５１が検出電圧信号Ｖｆと、第１閾値電圧Ｒｅｆ１および第２閾値電圧Ｒｅｆ２を比較した結果、検出電圧信号Ｖｆが第１閾値電圧Ｒｅｆ１未満かつ第２閾値電圧Ｒｅｆ２以上の場合、第１スイッチ部１６０をオフ状態になるように切り替える制御信号ＣＮＴ１と、第２スイッチ部１８０をオン状態になるように切り替える制御信号ＣＮＴ２それぞれを生成する。切替部１５０は、生成した制御信号ＣＮＴ１を第１スイッチ部１６０の制御端子に出力し、生成した制御信号ＣＮＴ２を第２スイッチ部１８０の制御端子に出力する。図１は、蓄電池１４０の検出電圧値が３．１Ｖ以上３，８Ｖ以下の接続状態を示し、第１スイッチ部１６０がオン状態であり、第２スイッチ部１８０がオフ状態である。また、図２は、蓄電池１４０の検出電圧値が３．１Ｖ以上３，８Ｖ以下の接続状態を示す図であり、第１スイッチ部１６０がオフ状態であり、第２スイッチ部１８０がオン状態である。
【００２３】
比較部１５１は、電圧検出部１３０が出力する電圧検出信号Ｖｆを、自部が有する所定の第１閾値電圧Ｒｅｆ１および第２閾値電圧Ｒｅｆ２と比較する。第１閾値電圧Ｒｅｆ１は、通常状態からＤＣ／ＤＣコンバータ１２０または蓄電池１４０の出力電圧が下降し、負荷装置２０が動作を停止する閾値電圧である。第１閾値電圧Ｒｅｆ１は、例えば３．１Ｖである。第２閾値電圧Ｒｅｆ２は、第１閾値電圧Ｒｅｆ１よりヒステリシス電圧に相当する電圧だけ低い電圧である。ヒステリシス電圧は、例えば０．１Ｖとし、第２閾値電圧Ｒｅｆ２は３．０Ｖ（＝３．１Ｖ−０．１Ｖ）である。
【００２４】
第１スイッチ部１６０は、切替部１５０が出力する制御信号ＣＮＴ１に応じて、ＤＣ／ＤＣコンバータ１２０と、ＤＣ／ＤＣコンバータ１７０との間の接続を接続状態または切断状態に切り替える。
【００２５】
ＤＣ／ＤＣコンバータ１７０は、第１スイッチ部１６０が出力する電圧を、負荷装置２０に合わせて降圧する。第１スイッチ部１６０がオン状態のとき、蓄電池１４０の電圧値は３．１〜３．８Ｖである。ＤＣ／ＤＣコンバータ１７０は、この電圧値３．１〜３．８Ｖを、例えば３．０Ｖに降圧する。
【００２６】
第２スイッチ部１８０は、切替部１５０が出力する制御信号ＣＮＴ２に応じて、ＤＣ／ＤＣコンバータ１２０と、負荷装置２０との間の接続を接続状態または切断状態に切り替える。
【００２７】
図１および図２では、第１スイッチ部１６０および第２スイッチ部１８０を、機械式接点を用いたスイッチで構成される例を示している。なお、スイッチは、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）やＩＧＢＴ（Ｉｎｓｕｌａｔｅｄ  Ｇａｔｅ  Ｂｉｐｏｌａｒ  Ｔｒａｎｓｉｓｔｏｒ）等の半導体スイッチング素子を用いた半導体スイッチを含んで構成されていてもよい。
【００２８】
次に、電源装置１０の動作について、図１、図２を参照し、図３を用いて説明する。
図３は、本実施形態に係る動作の一例を示すタイミングチャートである。図３において、横軸は時刻、縦軸は電圧の大きさを示す。また、図３において、波形ｇ１は、検出電圧の時刻に対する変化を示す。波形ｇ２は、第１スイッチ部１６０の動作状態を示す。波形ｇ３は、第２スイッチ部１８０の動作状態を示す。
【００２９】
検出電圧値が３．８Ｖ以下３．１Ｖ以上である時刻ｔ０〜時刻ｔ１の期間、図１と図３に示すように、第１スイッチ部１６０がオン（ＯＮ）状態であり、第２スイッチ部１８０がオフ（ＯＦＦ）状態である。これにより、太陽電池１１０または蓄電池１４０から供給される電力は、第１スイッチ部１６０とＤＣ／ＤＣコンバータ１７０を介して、負荷装置２０に供給される。ＤＣ／ＤＣコンバータ１７０の変換効率が約９０％である場合、約１０％がロスとなる。本実施形態では、この状態において、検出された電圧値が高い、すなわち太陽電池１１０による発電が充分であるため、電圧の安定を優先しロスを許容する。なお、本実施形態では、第１スイッチ部１６０とＤＣ／ＤＣコンバータ１７０を介して負荷装置２０へ電力を供給するルートＤＣＬ１を、通常ルートともいう。
【００３０】
検出電圧値が３．１Ｖ未満３．０Ｖ以上である時刻ｔ１〜時刻ｔ２の期間、図２と図３に示すように、第１スイッチ部１６０がオフ（ＯＦＦ）状態であり、第２スイッチ部１８０がオン（ＯＮ）状態である。これにより、太陽電池１１０または蓄電池１４０から供給される電力は、第２スイッチ部１８０を介して、負荷装置２０に供給される本実施形態では、この状態において、検出された電圧値が低い、すなわち太陽電池１１０による発電が少ないため、効率を優先する。なお、本実施形態では、第２スイッチ部１８０を介して、ＤＣ／ＤＣコンバータ１７０を介さないで負荷装置２０へ電力を供給するルートＤＣＬ２を、非通常ルートともいう。このように、本実施形態の電源装置１０は、蓄電池１４０から負荷装置２０へ電力を供給する際、通常ルートと非通常ルートの２つの経路を備えている。
【００３１】
なお、検出電圧が３．０Ｖ以下の場合、蓄電池１４０から負荷装置２０への電力供給を停止する。この場合、切替部１５０は、第１スイッチ部１６０をオフ状態に保ち、第２スイッチ部１８０をオフ状態に保つ。
【００３２】
次に、電源装置１０における処理手順を説明する。
図４は、本実施形態に係る電源装置１０における処理手順を示すフローチャートである。なお、電源装置１０は、以下の処理を、所定の時間間隔で行う。
【００３３】
（ステップＳ１）電圧検出部１３０は、蓄電池１４０の電圧値を検出し、検出した電圧値を電圧検出信号Ｖｆとして切替部１５０に出力する。
（ステップＳ２）切替部１５０は、電圧検出部１３０が出力する検出電圧値が第１閾値電圧Ｒｅｆ１（３．１Ｖ）以上であるか否かを判定する。切替部１５０は、検出電圧値が第１閾値電圧Ｒｅｆ１（３．１Ｖ）以上であると判定した場合（ステップＳ２；ＹＥＳ）、ステップＳ３の処理に進め、検出電圧値が第１閾値電圧Ｒｅｆ１（３．１Ｖ）未満であると判定した場合（ステップＳ２；ＮＯ）、ステップＳ６の処理に進める。
【００３４】
（ステップＳ３）切替部１５０は、第１スイッチ部１６０をオン状態になるように制御する。
（ステップＳ４）切替部１５０は、第２スイッチ部１８０をオフ状態になるように制御する。
（ステップＳ５）切替部１５０は、通常ルートによって負荷装置２０へ電力を供給、すなわち、ＤＣ／ＤＣコンバータ１７０を介して負荷装置２０に電力を供給する。切替部１５０は、ステップＳ１に処理を戻す。
【００３５】
（ステップＳ６）切替部１５０は、電圧検出部１３０が出力する検出電圧値が第２閾値電圧Ｒｅｆ２（３．０Ｖ）以上であるか否かを判定する。切替部１５０は、検出電圧値が第２閾値電圧Ｒｅｆ２（３．０Ｖ）以上であると判定した場合（ステップＳ６；ＹＥＳ）、ステップＳ７の処理に進め、検出電圧値が第２閾値電圧Ｒｅｆ２（３．０Ｖ）未満であると判定した場合（ステップＳ６；ＮＯ）、ステップＳ１０の処理に進める。
【００３６】
（ステップＳ７）切替部１５０は、第１スイッチ部１６０をオフ状態になるように制御する。
（ステップＳ８）切替部１５０は、第２スイッチ部１８０をオン状態になるように制御する。
（ステップＳ９）切替部１５０は、非通常ルートによって負荷装置２０へ電力を供給、すなわち、ＤＣ／ＤＣコンバータ１７０を介さずに負荷装置２０に電力を供給する。切替部１５０は、ステップＳ１に処理を戻す。
【００３７】
（ステップＳ１０）切替部１５０は、第１スイッチ部１６０および第２スイッチ部１８０のスイッチをオフ状態になるように制御する。切替部１５０は、ステップＳ１に処理を戻す。
【００３８】
以上のように、本実施形態の電源装置１０は、太陽電池１１０によって発電された電力は、ＤＣ／ＤＣコンバータ１２０を介して、蓄電池１４０に蓄えられる。通常時（蓄電池１４０の電圧値が３．１Ｖ〜３．８Ｖ）、すなわち電圧値が不足していない場合、電源装置１０は、蓄電池１４０の電力が第１スイッチ部１６０とＤＣ／ＤＣコンバータ１７０を介して、負荷装置２０へ電力を供給する。
一方、非通常時（蓄電池１４０の電圧値が３．１Ｖ未満）、すなわち発電量が充分ではなく電圧値が低い場合、電圧値が低いことを比較部１５１が比較した結果に基づいて検出し、ＤＣ／ＤＣコンバータ１７０を介さずに負荷装置２０へ電力を供給する。なお、切替部１５０は、非通常時にＤＣ／ＤＣコンバータ１７０をオフ状態または省電力動作状態になるように制御してもよい。
このように、本実施形態では、負荷装置２０へ電力を供給するルートが複数ある場合、発電量が不十分であれば、より効率のよいルートによって負荷装置２０へ電力を供給している。
【００３９】
以上、本発明について説明したが、電源装置１０は、上述の図示例にのみ限定されるものではなく、本発明の要旨を逸脱しない範囲内において種々変更を加え得ることは勿論である。
例えば、上述の例では、発電素子として環境発電素子を用いた太陽電池１１０の例を示したが、これに限られない。発電素子は、環境発電を行える発電素子であればよい。ここで、光以外の環境発電とは、例えば熱、振動、風力、電波等による発電である。
【００４０】
また、上述した例では、電源装置１０が、２つの経路（通常ルートと非通常ルート）を備える例を説明したが、経路は３つ以上であってもよい。例えば、図１に示した構成に、電源装置１０は、さらに３つ目の経路を備え、蓄電池１４０の正極端子に第３スイッチ部（不図示）の入力側が接続され、第３スイッチ部の出力側が第３のＤＣ／ＤＣコンバータ（不図示）の入力側に接続され、第３のＤＣ／ＤＣコンバータの出力側が負荷装置２０に接続されていてもよい。第３のＤＣ／ＤＣコンバータは、ＤＣ／ＤＣコンバータ１７０より降圧が低く、ＤＣ／ＤＣコンバータ１７０より効率が良い。そして、比較部１５１は、検出電圧値と第３閾値Ｒｅｆ３とを比較した結果に応じて、この第３スイッチ部のオン状態とオフ状態とを切り替えるようにしてもよい。この場合であっても、切替部１５０は、蓄電池１４０の電圧値、すなわち太陽電池１１０の発電量に応じて、効率の良い順に接続されるように、経路を第１スイッチ部１６０、第２スイッチ部１８０および第３スイッチ部を切り替えるようにしてもよい。
【００４１】
また、電源検出部１３０、切替部１５０は、例えばＣＰＵ（中央演算装置）やＤＳＰ（Ｄｉｇｉｔａｌ  Ｓｉｇｎａｌ  Ｐｒｏｃｅｓｓｏｒ；デジタルシグナルプロセッサ）が処理を行うようにしてもよい。
【符号の説明】
【００４２】
１０…電源装置、２０…負荷装置、１１０…太陽電池、１２０…ＤＣ／ＤＣコンバータ、１３０…電圧検出部、１４０…蓄電池、１５０…切替部、１５１…比較部、１６０…第１スイッチ部、１７０…ＤＣ／ＤＣコンバータ、１８０…第２スイッチ部
【図１】
2018050436.tif 000003
【図２】
2018050436.tif 000004
【図３】
2018050436.tif 000005
【図４】
2018050436.tif 000006